(57)【要約】表示用のコンテンツをフィルタ処理する方法およびシステムは、コンテンツのカテゴリに対応する少なくとも１つのＴＶマグネットを導入し、そのＴＶマグネットに基づいてコンテンツを誘引し、反発し、または誘引および反発し、そして、誘引し、反発し、または誘引および反発するステップに従ってフィルタ処理されたものを選択的に表示する。「コンテンツ」なる用語は、放送され、ユーザにより格納され、その他ユーザに送信されることが可能な任意の形式のプログラムまたは情報に関連する。【特許請求の範囲】
【請求項１】
表示用のコンテンツを選択的にフィルタ処理する方法であって：
コンテンツのカテゴリに対応する少なくとも１つのＴＶマグネットを導入するステップ；
前記少なくとも１つのＴＶマグネットに基づいて、コンテンツを誘引し、反発し、または誘引および反発するステップ；および
誘引し、反発し、または誘引および反発するステップに従って、フィルタ処理されたコンテンツを表示するステップ；
より成ることを特徴とする方法。
【請求項２】
誘引し、反発し、または誘引および反発するステップが、更に、反発されるコンテンツをフィルタ処理および探索することによって、反発されたコンテンツの表示を少なくとも部分的に防ぎ、誘引されるコンテンツの表示を許容するステップより成ることを特徴とする請求項１記載の方法。
【請求項３】
前記フィルタ処理が、サンプルされたフレーム、対話解析、オブジェクト認識技術、コンテンツ料金案内、書き込み済みのコンテンツ記述、似かよった表題、テキスト用スピーチ、ＭＰＥＧ７または音響解析における画素色彩解析に基づくフィルタ処理を行うことを特徴とする請求項２記載の方法。
【請求項４】
前記導入するステップが、少なくとも１つのＴＶマグネットをコンテンツの一般カテゴリに割り当てるステップより成ることを特徴とする請求項１記載の方法。
【請求項５】
前記コンテンツの一般カテゴリが、誘引し、反発し、または誘引および反発するステップにおいてコンテンツがフィルタ処理され、前記表示するステップで表示され得るところの探索可能なコンテンツのカテゴリより成ることを特徴とする請求項４記載の方法。
【請求項６】
前記導入するステップが、更に、少なくとも１つのＴＶマグネットを少なくとも１つの特定形式のコンテンツに割り当てるステップより成ることを特徴とする請求項５記載の方法。
【請求項７】
前記特定形式のコンテンツが、コンテンツの一般カテゴリ内の探索可能な特定項目より成り、前記コンテンツが、誘引し、反発し、または誘引および反発するステップにおいてフィルタ処理され、前記表示するステップで表示され得ることを特徴とする請求項６記載の方法。
【請求項８】
前記導入するステップが、コンテンツの形式を表示する少なくとも１つのＴＶマグネット・シンボルを作成するステップより成ることを特徴とする請求項１記載の方法。
【請求項９】
前記少なくとも１つのＴＶマグネット・シンボルおよびそれが表示するコンテンツの形式が、システムにより自動的に作成され、放送者から提供され、インターネットからダウンロードされ、ユーザにより作成され、またはネットワーク上の他のユーザとの間で交換されることを特徴とする請求項８記載の方法。
【請求項１０】
ユーザが、少なくとも１つのＴＶマグネット・シンボル、少なくとも１つのＴＶマグネット・シンボルの形状、または少なくとも１つのＴＶマグネット・シンボルが表現するコンテンツを変更することが可能であることを特徴とする請求項８記載の方法。
【請求項１１】
ユーザが、より強くまたはより弱く誘引または反発するように前記少なくとも１つのＴＶマグネットの強度を調整することが可能であることを特徴とする請求項１記載の方法。
【請求項１２】
前記ユーザが、誘引するよう選択したコンテンツを探索および表示することをより強調し、フィルタ処理機構の影響を減少させるようにコンテンツ探索および表示装置を管理する強度インジケータを調整することによって、少なくとも１つのＴＶマグネットの誘引強度を調整することが可能であることを特徴とする請求項１１記載の方法。
【請求項１３】
前記ユーザが、フィルタ処理するよう選択したコンテンツを探索および表示することをより弱く強調し、フィルタ処理機構の影響を増加させるようにコンテンツ探索および表示装置を管理する強度インジケータを調整することによって、ＴＶマグネットの反発強度を調整することが可能であることを特徴とする請求項１１記載の方法。
【請求項１４】
前記導入するステップが、ユーザ・インターフェースの１つ又はそれ以上のジャンル内に少なくとも１つのＴＶマグネット・シンボルを設けるステップより成り、前記誘引し、反発し、または誘引および反発するステップが、前記少なくとも１つのＴＶマグネット・シンボルにより表示される前記少なくとも１つのＴＶマグネットに従って１つ又はそれ以上のジャンルにおける情報を選択的にフィルタ処理することを特徴とする請求項１記載の方法。
【請求項１５】
前記誘引し、反発し、または誘引および反発するステップが、予め定められた期間にわたって行われ、前記表示するステップが、更に、前記予め定められた期間の間に少なくとも１つのＴＶマグネットが収集した総ての情報を表示するステップより成ることを特徴とする請求項１記載の方法。
【請求項１６】
前記誘引し、反発し、または誘引および反発するステップが連続的に行われ、前記表示ステップが更に、前記誘引し、反発し、または誘引および反発するステップに従って、ユーザが表示されているコンテンツを鑑賞している間にフィルタ処理されたコンテンツを連続的に表示することを特徴とする請求項１記載の方法。
【請求項１７】
コンテンツを選択的にフィルタ処理するシステムであって：
コンテンツを表示する表示手段；
コンテンツの少なくとも１つのソース；
マイクロプロセッサ；
少なくとも１つのＴＶマグネットに従ってコンテンツを選択的にフィルタ処理するコンテンツ・フィルタ；
記憶媒体；および
前記少なくとも１つのＴＶマグネットを導入し、編集しおよび選択する手段；
を有することを特徴とするシステム。
【請求項１８】
前記表示手段がテレビジョンまたはモニタより成ることを特徴とする請求項１７記載のシステム。
【請求項１９】
前記コンテンツが、更に、テレビジョン・プログラムの少なくとも１つのソース、またはストリーム媒体のソースより成ることを特徴とする請求項１７記載のシステム。
【請求項２０】
テレビジョン・プログラムの少なくとも１つのソースが、衛星プログラム・ソース、地上プログラム・ソースまたはブロードキャスト・ソースより成ることを特徴とする請求項１９記載のシステム。
【請求項２１】
前記マイクロプロセッサが、前記少なくとも１つのＴＶマグネットに基づいて前記コンテンツ・フィルタを制御することを特徴とする請求項１７記載のシステム。
【請求項２２】
前記コンテンツ・フィルタが、コンテンツの少なくとも１つのソースからコンテンツを受信し、少なくとも１つのＴＶマグネットが反発するコンテンツをフィルタ処理し、少なくとも１つのＴＶマグネットが誘引するコンテンツを通過させることを特徴とする請求項１７記載のシステム。
【請求項２３】
前記マイクロプロセッサが、コンテンツの少なくとも１つのソースからコンテンツを受信し、前記少なくとも１つのＴＶマグネットに基づいて、前記コンテンツ・フィルタが前記コンテンツをフィルタ処理するよう制御することを特徴とする請求項１７記載のシステム。
【請求項２４】
前記マイクロプロセッサが、前記少なくとも１つのＴＶマグネットに基づいて記憶媒体に格納されたコンテンツをフィルタ処理するようコンテンツ・フィルタを制御することを特徴とする請求項１７記載のシステム。
【請求項２５】
前記マイクロプロセッサが、ユーザ個人の鑑賞習慣に基づいて少なくとも１つのＴＶマグネットを自動的に示唆または作成することを特徴とする請求項１７記載のシステム。
【請求項２６】
前記少なくとも１つのＴＶマグネットを導入し、編集しおよび選択する手段が、更に、遠隔制御装置、キーボード、マウスまたはタッチ・スクリーンより成ることを特徴とする請求項１７記載のシステム。
【請求項２７】
表示用のコンテンツを選択的にフィルタ処理するプロセッサ読み取り可能な媒体に格納されたプログラムであって：
コンテンツのカテゴリに対応する少なくとも１つのＴＶマグネットを導入し；
前記少なくとも１つのＴＶマグネットに基づいて、コンテンツを誘引し、反発し、または誘引および反発し；および
誘引し、反発し、または誘引および反発するステップに従ってフィルタ処理されたコンテンツを表示する
手順を実行させることを特徴とするプログラム。
【発明の詳細な説明】
【０００１】
［関連出願の相互参照］
本願は、２０００年７月２８日に出願され、発明者Ｇｅｏｒｇｅ Ｍａｒｍａｒｏｐｏｕｌｏｓ， Ｃｌｉｖｅ Ｖａｎ Ｈｅｅｒｄｅｎ， Ｊｏｈｎ Ｚｉｍｍｅｒｍａｎによる“ＴＶ ＭＡＧＮＥＴ”と題する米国仮出願および親出願番号６０／２２１，３９８に関連する出願であり、これらは本願のリファレンスに包含される。
【０００２】
［発明の背景］
本発明は、一般にＴＶ鑑賞プロセスの専用化（ｃｕｓｔｏｍｉｚａｔｉｏｎ）に関するユーザ相互作用パラダイムに関連する。
【０００３】
ディジタル・テレビジョンおよびディジタル情報は変化し、膨大な量のディジタル・コンテンツによって過程娯楽を変化させ続けるであろう。多くのチャネルおよび様々な利用可能なコンテンツは、非常に大きいので、視聴者が従来のサーフィン（ｓｕｒｆｉｎｇ）手法を利用してコンテンツを閲覧することは困難である。本願のリファレンスに組み込まれる米国特許４，７０６，１２１および５，３５３，１２１に開示されているような電子プログラム・ガイド（ＥＰＧ）は、スケジュール情報処理システムを提供し、視聴者が提供した選択基準に基づいてプログラムを選択する便利な手法を視聴者に提供するものである。しかしながら、ＥＰＧでさえも、個人レベルのものを、直ちに利用可能な内容豊富な情報に提供する現行の開発は不十分である。パーソナルＴＶレコーダおよび代行技術のような様々な装置およびシステムが、個人レベルのものを提供する。これらのシステムはＥＰＧおよびユーザの趣向を利用して、メタ（ｍｅｔａ）データ・レベルで動作する。そのような装置は通常は数時間の映像内容（コンテンツ）を格納する機能を有するハードディスクを有し、好ましいプログラムを鑑賞するプロセスを支援する。しかしながら、ユーザが直感的にサーチすることを可能にし、ユーザが鑑賞することを好むコンテンツを見出すことを可能にする新たなプログラムが必要である。
【０００４】
［発明の概要］
本発明の一形態によれば、表示用のコンテンツを選択的にフィルタ処理（ｆｉｌｔｅｒｉｎｇ）する方法は、コンテンツのカテゴリに対応する少なくとも１つのＴＶマグネットを導入するステップより成る。また、本方法は、前記少なくとも１つのＴＶマグネットに基づいて、コンテンツを誘引し、反発し、または誘引および反発するステップ、および誘引し、反発し、または誘引および反発するステップに従って、フィルタ処理されたコンテンツを表示するステップより成る。
【０００５】
用語「コンテンツ（ｃｏｎｔｅｎｔ）」は、放送され、ユーザにより格納され、またはユーザに送信されることの可能な任意の形式のプログラムまたは情報に関連する。
【０００６】
本発明のいくつかの実施例において、フィルタ処理，探索をおこなうことによって、誘引し、反発しまたは誘引および反発するステップは少なくとも部分的に反発されたコンテンツの表示を回避し、誘引されたコンテンツの表示が許容される。フィルタ処理は、サンプルされたフレームにおいて画素色彩分析、対話解析、オブジェクト認識技術、コンテンツ料金ガイドまたは書き込まれたプログラム記述に基づいて実行され得る。
【０００７】
他の実施例では、導入ステップが、「有名人（ｃｅｌｅｂｒｉｔｉｅｓ）」のようなコンテンツの一般カテゴリにＴＶマグネット（ｍａｇｎｅｔ）を割り当てるステップより成る。コンテンツの一般カテゴリは、探索可能なカテゴリであり、そこからコンテンツは、誘引し、反発しまたは誘引および反発するステップにおいてフィルタ処理され、表示ステップで表示されることが可能である。
【０００８】
他の実施例では、導入ステップが、ＴＶマグネットを特定の有名人のような少なくとも１つの特定形式のコンテンツに割り当てるステップより成る。特定形式のコンテンツは、コンテンツの一般カテゴリ内に探索可能な特定の項目を含み、そこからコンテンツは、誘引し、反発しまたは誘引および反発するステップにおいてフィルタ処理され、表示ステップで表示されることが可能である。
【０００９】
他の実施例では、導入ステップが、コンテンツの形式を表現する少なくとも１つのＴＶマグネット・シンボル（ｓｙｍｂｏｌ）を生成するステップを含む。ＴＶマグネット・シンボルおよびそれらが表現するコンテンツの形式は、システムにより自動的に生成されることが可能であり、これは放送者によって提供され、インターネットからダウンロードされ、ユーザにより作成され、またはネットワーク上の他のユーザとの間で交換されることが可能である。ユーザは、ＴＶマグネット・シンボルまたはコンテンツＴＶマグネット・シンボル表現の名称および形状を変更することが可能である。
【００１０】
他の実施例では、ユーザは、コンテンツを誘引または反発する力をより強くまたは弱くするためにＴＶマグネットの強度を調整することが可能である。これは、強度インジケータを調整することにより行われ、これは、コンテンツ探索および表示装置を管理し、ユーザが誘引するよう選択したコンテンツを見出しおよび表示するのを一層強調し、また、フィルタ処理機構の影響を減少させる。ユーザは、強度インジケータを調整することによってＴＶマグネットの反発力を調整することも可能である。強度インジケータは、コンテンツ探索および表示装置を管理し、ユーザがフィルタ処理するよう選択したコンテンツを見出しおよび表示するのを弱め、フィルタ処理機構の影響を増加させる。
【００１１】
他の実施例では、ユーザが少なくとも１つのＴＶマグネット・シンボルを、ユーザ・インターフェースにおける１つ又はそれ以上のジャンル（ｇｅｎｒｅ）内に置く。誘引し、反発しまたは誘引および反発するステップは、導入ステップの際に少なくとも１つのＴＶマグネット・シンボルによって表現された少なくとも１つのＴＶマグネットに従って、コンテンツを選択的にフィルタ処理する。
【００１２】
他の実施例では、誘引し、反発しまたは誘引および反発するステップは、予め設定した期間の進路（ｃｏｕｒｓｅ）に関して行われる。ＴＶマグネットが予め設定した期間に収集したコンテンツはそれに従って表示される。誘引し、反発しまたは誘引および反発するステップは、連続的にも行われ、フィルタ処理されたコンテンツは、誘引し、反発しまたは誘引および反発するステップに従って連続的に表示され、ユーザは表示されたコンテンツを鑑賞する。
【００１３】
他の形態では、本発明は、コンテンツを選択的にフィルタ処理するシステムより成る。本システムは、コンテンツを表示する表示手段、コンテンツの少なくとも１つのソース、およびマイクロプロセッサを含む。また、本システムは、少なくとも１つのＴＶマグネットに従ってコンテンツを選択的にフィルタ処理するコンテンツ・フィルタ、記憶媒体、および前記少なくとも１つのＴＶマグネットを導入し、編集しおよび選択する手段を有する。
【００１４】
いくつかの実施例において、表示手段は、テレビジョンまたはモニタとすることが可能であり、コンテンツはテレビジョン・プログラムのソースであり、コンテンツのソースはテレビジョン・プログラムの少なくとも１つのソースである。テレビジョン・プログラムのソースは、衛星プログラム・ソース、地上プログラム・ソースその他の放送ソースとすることが可能である。
【００１５】
マイクロプロセッサは、ＴＶマグネットに基づいてコンテンツ・フィルタを制御する。コンテンツ・フィルタは、少なくとも１つのコンテンツ・ソースからコンテンツを受信し、ＴＶマグネットが反発するコンテンツをフィルタ処理し、ＴＶマグネットが誘引するコンテンツを通過させるようにする。マイクロプロセッサは、少なくとも１つのコンテンツ・ソースからコンテンツを受信することが可能であり、コンテンツ・フィルタが、ＴＶマグネットに基づいてコンテンツをフィルタ処理するよう定める。さらに、マイクロプロセッサは、コンテンツ・フィルタを管理して、ＴＶマグネットに基づいて記憶媒体に格納されたコンテンツをフィルタ処理することも可能である。マイクロプロセッサは、ユーザ各自の鑑賞習慣に基づいて自動的に少なくとも１つのＴＶマグネットを示唆または作成することも可能である。
【００１６】
他の形態にあっては、表示用のコンテンツを選択的にフィルタ処理するプロセッサ読み取り可能な媒体に格納されたプログラム・セグメントは、複数の部分を含む。ある部分は、少なくとも１つのＴＶマグネットを導入する。ある部分は、前記ＴＶマグネットに基づいて、コンテンツを誘引し、反発し、または誘引および反発する。ある部分は、誘引し、反発し、または誘引および反発するステップに従ってフィルタ処理されたコンテンツを表示する。
【００１７】
本発明はいくつもの利点を提供する。例えば、本システムおよび方法は、ユーザ各自の入力に基づいてコンテンツをフィルタ処理し、一般的なおよび特定のコンテンツがそのまま（ｔｒａｎｓｐａｒｅｎｔｌｙ）誘引または反発されるようにすることが可能である。これは、多数のチャネルおよび情報量が継続して成長するにつれて、テレビジョン視聴者をより楽により個人化させてゆく。さらに、内容豊富な情報は、余分な走査を必要とせずに、組織化され、迅速且つ簡潔に鑑賞されることが可能である。これらおよび多くの他の利点は、以下の実施例を参照することによって明らかになるであろう。
【００１８】
［好適実施例の詳細な説明］
提案される方法およびシステムは、テレビジョン視聴者に、以後「ＴＶマグネット」と呼ばれる仮想的なオブジェクトを選択する能力を提供し、これは、テレビジョン・プログラムのような所定の形式のコンテンツを非常に適切に誘引または反発するものである。
【００１９】
図１は、ＴＶマグネットを利用してコンテンツを選択する本願ユーザ・インターフェースの好適実施例を示す。ユーザがユーザ・インターフェース１０２においてメニュー６１から選択を行うことにより始まる。ユーザは、新規マグネットを開き、マグネットをダウンロードし、メモリから示唆されたマグネットを取得し、またはそれらの個人マグネット・ファイルを開くことが可能である。図１において、ユーザは、「ジョージのマグネット」を選択する。これは、以前に設定され、ジョージなるユーザ名で個人化されたＴＶマグネット１３，１４，１５，１６，１７を明らかにする。このユーザはその後に、遠隔制御またはキーボードのような従来の入力装置を利用してカーソル２０を左、右、上および下に動かすことによって、ＴＶマグネット１３，１４，１５，１６，１７から選択する。各ＴＶマグネットは異なるカテゴリのコンテンツを表現する。例えば、ＴＶマグネット１５は「イベント・マグネット」であり、ありきたりのマグネットのように、イベントに関連するコンテンツの一般的な又は特定の形式（タイプ）を誘引または反発する。
【００２０】
ＴＶマグネット１５が選択されると、代表的なもの若しくは拡大移動したものまたは他の画像１５０がユーザ・インターフェース１０２に表示される。ＴＶマグネット１５により表現されるコンテンツのカテゴリのような又は特定のコンテンツＴＶマグネット１５が誘引または反発するような、いくつかのテキスト情報が拡大されたものと共に包含されまたは画像１５０に切り替わる。
【００２１】
誘引識別子１５１は、ＴＶマグネット１５が引き付けられるいくつかのコンテンツ形式をリスト表示し、ユーザの個人的趣向に合わせて編集することも可能である。図１では、ＴＶマグネット１５はイベントを誘引し、飛行機、事故、地震、トルネードおよび洪水を包含する。同様に、反発識別子１５２は、ＴＶマグネット１５が反発されるコンテンツのいくつかの形式をリスト表示する。図１では、ＴＶマグネット１５は、広告および天気に関するコンテンツを含むイベントには反発する。
【００２２】
ＴＶマグネット１３，１４，１５，１６，１７のシンボルおよびそれらが表現するコンテンツの形式は、システムにより自動的に生成され、放送者により提供され、インターネットからダウンロードされ、ユーザによって作成され、またはネットワーク上の他のユーザとの間で交換されることが可能である。ユーザは、マグネットの名称（すなわち、「イベント・マグネット」）、マグネットの形状（馬蹄状のマグネット形状）、またはそれが表現するコンテンツ（すなわち、「イベント」の定義）を、ユーザが変更しようとする様々な要素を選択することにより、および代替物または操作したコンテンツを入力することにより、操作および／または変更することも可能である。ユーザは特別に誘引されるまたは反発するコンテンツを変更することも可能である。特別に誘引されるまたは反発するコンテンツを変更するために、ユーザは自身の言葉をタイプし、または予め選択された言葉の中から、例えば所望のＴＶマグネットを選択した後に遠隔制御を利用してユーザの希望するものをハイライトすることによって選択することが可能である。図１では、ユーザは、飛行機事故および地震（各々の言葉に隣接する＋記号により示される）を誘引し、広告および天気（各々の言葉に隣接する網掛け記号により示される）を反発するように選択している。
【００２３】
ユーザはＴＶマグネットの強度を、より強く又はより弱く特定のコンテンツを誘引または反発するように更に調整することができる。強度インジケータ６０は、この種の調整を可能にする。図１において、ユーザは強度インジケータ６０を従来の入力装置を利用して正の方向に操作することによって、誘引強度を設定する。これが意味することは、ＴＶマグネットは、誘引するように選択した特定のコンテンツ（すなわち、飛行機事故および地震）を探索および表示することをより強調して行うようコンテンツ探索および表示装置を管理することである。これは、フィルタ処理機構の影響を減少させることによって行われる。また、ユーザは強度インジケータ６０を従来の入力装置を利用して負の方向に操作することによって、反発強度を設定する。これが意味することは、ＴＶマグネットは、反発するように選択した特定のコンテンツ（すなわち、飛行機広告および天気）を探索および表示することを強調しないで行うようコンテンツ探索および表示装置を管理することである。強度調整は、誘引および反発される特定のコンテンツの間のバランスを反映する。
【００２４】
上述したような強度調整は、フィルタ処理の改良の程度を示す（すなわち、最強の反発は、ユーザは、指定されたコンテンツを考慮することを希望しないことを意味する。）。フィルタ処理のより具体的な例として、ユーザが性的コンテンツを含む場面の表示を完全に防ぐことを希望するならば、既知の手法を利用することが可能である。１つの方法は、コンテンツのフレームをサンプルし、サンプルされたフレームを利用して、サンプルされたフレーム内の全画素の色彩を分析し、コンテンツが何であるかを判定することである。例えば、コンテンツの所与のサンプルが４０％以上の肌のトーンの色彩画素を含んでいるならば、コンテンツはヌード・シーンを含んでいると判定することが可能である。ユーザが反発強度を最大に増加させるならば（すなわち、性的シーンを見ることを全く望まないならば）、フィルタ処理機構は、相対的に肌の色を含む全体のトーンのうち最少のパーセンテージ（すなわち、５％以上）のサンプル・フレームを含むコンテンツを防ぐであろう。反発強度を減少させることは、より大きな最少パーセンテージ（すなわち、３０％以上）のサンプル・フレームを含むコンテンツのフィルタ処理を可能にする。
【００２５】
他の手法は、誘引および反発の強度をフィルタ処理および調整するのに有利である。たとえば、対話解析、オブジェクト認識技術、コンテンツ料金ガイドおよび書き込まれたプログラム記述を利用して、コンテンツはフィルタ処理されることが可能である。
【００２６】
例えば選択することにより、ダウンロードすることにより、またはそれらをプログラミングすることにより、ユーザがＴＶマグネットを導入すると、ＴＶマグネットはいくつかの方法で利用されることが可能である。図２は、１つのＴＶマグネットがプログラムまたはコンテンツ選択に影響し得ることを示す。図２はユーザ・インターフェースを示し、スペースをジャンル２１，２２，２３，２４，２５，２６，２７に分割する。到来領域２００は、将来表示されるコンテンツに言及している。格納領域２０２は、既に放送され、および将来鑑賞するためにユーザがセット・トップ・ボックス記録および再生装置その他のコンテンツ格納／再生装置によって格納したコンテンツを表現する。ユーザは、メニュー２０５を利用して、ジャンルの到来または格納領域の任意のものにおいて、いつでも１つ又はそれ以上のマグネットを配置、除去、削除または編集することが可能である。ジャンル２０５は、例えば、遠隔制御装置を利用して操作され得る。ＴＶマグネットは総てのジャンルにわたって全体的に配置され得る。図２でえは、例えば、ユーザがＴＶマグネット１５，１６を、到来領域２００の「ニュース」ジャンル列２２に配置している。ＴＶマグネット１５は所定のイベントに関連し、ＴＶマグネットは所定の有名人に関連する。これは、リスニング２０４によって示され、これはコンテンツのカテゴリを便利に表示するだけでなく、それが誘引する又は反発する特定のコンテンツのサンプリングも表示する。したがって、ニュース・ジャンル２２に合致する到来コンテンツは、スクリーンおよびフィルタ処理され、ＴＶマグネット１５（イベント）および１６（有名人）の特定のコンテンツを誘引又は反発する。
【００２７】
図３はユーザ・インターフェースを示し、イベントＴＶマグネット１５が１日の間に収集したコンテンツをユーザが閲覧するのを可能にする。コンテンツ画像３０，３１，３２，３３，３４，３５，３６，３７は、括弧３００，３０１によって仕切られた領域に包含され、ここでは用意されたスペースより多くのコンテンツが収集された場合にスクロールを可能にしている。コンテンツ画像３０，３１，３２，３３，３４，３５，３６，３７が表現するコンテンツは、ユーザが誘引および反発するようにプログラムした特定のコンテンツに基づいて（すなわち、誘引メニュー３８を通じて）、ＴＶマグネット１５が所与の日に収集したものである。コンテンツ画像３０，３１，３２，３３，３４，３５，３６，３７は、ユーザ・インターフェース・システムにより自動的に発生させられ、または放送者によって抽出時に簡易な認定を提供される。コンテンツ画像３０，３１，３２，３３，３４，３５，３６，３７は、静止した又は動いている画像を表現し得る。いくつかのテキスト情報が静止画像または動画像に包含され得る。生のコンテンツの場合（すなわち、現在放送されてる場合）、ライブ映像がコンテンツ画像３０，３１，３２，３３，３４，３５，３６，３７で表示され得る。
【００２８】
ユーザが、例えば、遠隔制御装置を利用してカーソル２０によりコンテンツ画像を選択すると、領域３５１に拡大された形式のものが出現する。図３において、ユーザはコンテンツ画像３５を選択している。拡大されたコンテンツ画像３５０が領域３５１に生じている。拡大された形式のものは動画的または静止画的であり得る。さらに、拡大されたコンテンツ画像３５０は、コンテンツが現れるチャネルのようなテキスト情報を包含することも可能である。ユーザが拡大されたコンテンツ画像３５０、または他のコンテンツ画像を選択すると、それが表示する全コンテンツまたは単に所望の一部分が、最大サイズで再度呼び出され表示されることが可能である。
【００２９】
ＴＶマグネットを利用する他のアプリケーションは、生の（ライブの）または記録されたコンテンツを鑑賞しながら、１つ又はそれ以上のＴＶマグネットを使用することを包含する。ユーザが各チャネルを切り替えて行くように、性的および暴力的なものを反発するマグネットを使用することの効果は、例えば、（上述したようなマグネットの強度に依存して）そのような種類の場面を含まないコンテンツのみが提示されるようにすることである。ＴＶマグネットを使用する他の効果は、ユーザが鑑賞している際に、例えば性的又は暴力的なものを包含するコンテンツから特定の場面を回避する又は削除することが可能なことである。さらに、ＴＶマグネットが誘引するものが何であるかに依存して、ユーザがチャネルを切り替えて行く際に、特に所望のコンテンツのみが表示されるようにすることが可能である。このアプリケーションでは、所望のコンテンツの選択は、有利なことに、直感的なおよびそのままの方法で提供される。使用されるマグネット４０によるスクリーン・ディスプレイ４１の例が図４に示されている。マグネット４０が示すことは、ユーザが様々なチャネルを切り替えて行くように、このマグネットが現在のコンテンツとユーザが鑑賞しているものの選択とに作用していることである。
【００３０】
図５は、ＴＶマグネットが表示され使用され得るシステムを示す。ディスプレイ・スクリーン１０１はユーザ・インターフェース１０２を表示する。ＴＶマグネットは、カーソル２０を利用して、選択され、編集され、または操作され得る。カーソル２０は、遠隔制御５０または当該技術分野で知られている他の専用入力装置のような従来の入力装置を利用して左に、右に、上におよび下に移動させることが可能である。
【００３１】
ユーザがＴＶマグネットを選択し、それが誘引および反発する特定のコンテンツに加えて誘引および反発の強度を入力すると、マイクロプロセッサ５３はその情報に基づいて、コンテンツ・フィルタ５１を制御する。ライブ・コンテンツに対しては、コンテンツ・フィルタ５１は、チューナ／受信機５４からコンテンツを受信し、ユーザにより入力された情報に基づいて、選択したＴＶマグネットが反発するコンテンツをフィルタ処理する。マイクロプロセッサ５３はコンテンツ・フィルタ５１を制御し、ユーザが誘引することを希望するコンテンツを、より少ないフィルタ処理を通じて通過させることを可能にする。将来のコンテンツに対して、マイクロプロセッサ５３は、チューナ／受信機５４から更なるコンテンツに関する情報を受信し、導入されているＴＶマグネットに基づいてそれらを予めフィルタ処理するためにコンテンツ・フィルタ５１を設定する（すなわち、鑑賞する以前のコンテンツのフィルタ処理）。最後に、格納されるコンテンツに関し、マイクロプロセッサ５３はコンテンツ・フィルタ５１を管理して、導入されているＴＶマグネットに基づいて記憶媒体５２に格納されているコンテンツのフィルタ処理を行う。マイクロプロセッサは、ユーザ各自の鑑賞の習慣に基づいて自動的にマグネットを示唆または作成することが可能である。
【００３２】
ＴＶマグネットは、無線およびインターネットからのストリーム供給（ｓｔｒｅａｍｉｎｇ ｆｅｅｄ）のようなストリーム媒体形式すべてに対して一般的に関連付けることも可能である。例えば、ユーザは、（ディジタル・ケーブル無線供給のような）無線装置に対するユーザ・インターフェースにおけるＴＶマグネットを導入することが可能である。ＴＶマグネットは、そして、少なくとも１つのＴＶマグネットに基づいて無線コンテンツを誘引および反発する。
【００３３】
図６のブロック図は、プロセッサ読み取り可能な媒体に格納されたプログラム・セグメントが、ディスプレイからコンテンツをどのようにフィルタ処理するかを示す。プログラム・セグメントは、ステップ６００において、存在するＴＶマグネットをディスプレイ１０１に表示する。ステップ６０１において、プログラムは、ユーザの所望のＴＶマグネットが表示されるか否かを問い合わせる。そうでないならば、ステップ６０２において、プログラムはマイクロプロセッサ５３を制御して、所望のＴＶマグネットを生成する。生成されると、ステップ６０３において、プログラムは生成したＴＶマグネットを格納するよう記憶媒体５２に指示する。そしてプログラムは、ステップ６０４において、ユーザ・インターフェース１０２に所望のＴＶマグネットを表示するようマイクロプロセッサ５３に指示する。
【００３４】
それらの前にユーザが表示される所望のＴＶマグネットを有していると、プログラムは、ステップ６０５において、ＴＶマグネットの誘引／反発／フィルタ処理設定が許容され得るか否かを確認する。ユーザが、許容できない設定を発見すると、プログラムは、ステップ６０６において、ユーザの入力に従って誘引／反発／フィルタ処理設定を調整する。設定が許容可能であると判断されると、プログラムは、コンテンツ・フィルタ５１がＴＶマグネットに基づいてコンテンツを誘引／反発するようマイクロプロセッサ５３に指示する。これはステップ６０７で行われる。ステップ６０８において、プログラムは、コンテンツ・フィルタ処理５１を通過したコンテンツをディスプレイ１０１に表示するようマイクロプロセッサ５３に指示する。
【００３５】
以上の表現および事例は例示的なものであって、本発明の範囲を限定することを意図するものではない。
【図面の簡単な説明】
【図１】図１は、ＴＶマグネットを組み込んだユーザ・インターフェースの好適実施例を示す。
【図２】図２は、ＴＶマグネットが動作しているユーザ・インターフェースの好適実施例を示す。
【図３】図３は、ＴＶマグネットが収集したコンテンツを通じてユーザが鑑賞するのを可能にするユーザ・インターフェースの好適実施例を示す。
【図４】図４は、搬送されるマグネットを有するスクリーン・ディスプレイの好適実施例を示す。
【図５】図５は、ＴＶマグネットを組み込んだユーザ・インターフェースが表示され使用され得るシステムの好適実施例を示す。
【図６】図６は、フィルタ処理するコンテンツをディスプレイから選択するプロセッサ読み取り可能な媒体に格納されたプログラム・セグメントのブロック図を示す。
【図１】
2004505557.tif 000002
【図２】
2004505557.tif 000003
【図３】
2004505557.tif 000004
【図５】
2004505557.tif 000005
【図６】
2004505557.tif 000006
【国際公開パンフレット】
2004505557.tif 000007
2004505557.tif 000008
2004505557.tif 000009
2004505557.tif 000010
2004505557.tif 000011
2004505557.tif 000012
2004505557.tif 000013
2004505557.tif 000014
2004505557.tif 000015
2004505557.tif 000016
2004505557.tif 000017
2004505557.tif 000018
2004505557.tif 000019
2004505557.tif 000020
2004505557.tif 000021
2004505557.tif 000022
2004505557.tif 000023
2004505557.tif 000024
2004505557.tif 000025
2004505557.tif 000026
2004505557.tif 000027
2004505557.tif 000028
2004505557.tif 000029
2004505557.tif 000030
2004505557.tif 000031
2004505557.tif 000032
2004505557.tif 000033
2004505557.tif 000034
【国際公開パンフレット（コレクトバージョン）】
2004505557.tif 000035
【国際調査報告】
2004505557.tif 000036
2004505557.tif 000037
2004505557.tif 000038
2004505557.tif 000039